(57)【要約】【課題】本発明は、電子機器の構成を簡易化する。【解決手段】本発明は、筐体２に対し、当該筐体２内の電子部品と天板２Ｂの天板内面２ＢＸとの間の内部空間ＩＡに外部から指を差し込ませるための差込開口部１１と、当該差込開口部１１を介して内部空間ＩＡに差し込まれた指と対向する天板２Ｂの対向部分が天板外面２ＢＹ側から内部空間ＩＡ側へ押し出されるようにして天板２Ｂの一部として天板外面２ＢＹ側に凹部１２Ａを有し、かつ天板内面２ＢＸ側に凸部１２Ｂを有するように形成され、当該凸部１２Ｂに差込開口部１１を介して内部空間ＩＡに差し込まれた指が掛けられる指掛部１２とから構成される持運用の持運ハンドル１０を設けることにより、筐体２に対し持運ハンドル１０として個別の部品を何ら設けることなく、筐体２の一部を持運ハンドル１０として機能させることができ、電子機器の構成を簡易化することができる。【選択図】図２
2008192241.tif 000002
【特許請求の範囲】
【請求項１】
電子部品が収納された筐体に持運用の持運ハンドルが設けられた電子機器において、
上記持運ハンドルは、
上記筐体内の上記電子部品と当該筐体の天板の天板内面との間に形成された内部空間に対し、外部から指を差し込ませるための差込開口部と、
上記差込開口部を介して上記内部空間に差し込まれた上記指と対向する上記天板の対向部分が上記天板外面側から上記内部空間側へ押し出されるようにして上記天板の一部として上記天板外面側に凹部を有し、かつ上記天板内面側に凸部を有するように形成され、当該凸部に上記差込開口部を介して上記内部空間に差し込まれた上記指が掛けられる指掛部と
を具えることを特徴とする電子機器。
【請求項２】
上記指掛部は、
上記凹部が、上記差込開口部を介して上記内部空間へ上記指が差し込まれる差込方向よりも当該差込方向と直交する直交方向へ長い溝状に形成されると共に、上記凸部が上記差込方向よりも上記直交方向へ長い箱状に形成される
ことを特徴とする請求項１に記載の電子機器。
【請求項３】
上記指掛部は、
上記凸部の底面に上記差込方向と平行な１又は複数の線状に突出する滑止部が形成されると共に、上記差込方向に沿って奥側となる上記凸部の一方の壁面にも上記底面の上記滑止部が延長して形成される
ことを特徴とする請求項２に記載の電子機器。
【請求項４】
上記指掛部は、
上記凸部の底面及び上記差込方向に沿って奥側となる一方の壁面に、上記直交方向と平行な１又は複数の線状に突出する滑止部が形成される
ことを特徴とする請求項２に記載の電子機器。
【請求項５】
上記指掛部は、
上記差込方向に沿って奥側となる上記凸部の一方の壁面に、上記直交方向に沿った波型の滑止部が形成される
ことを特徴とする請求項２に記載の電子機器。
【請求項６】
上記差込開口部は、
上記天板の上記筐体背面寄りに設けられ、
上記指掛部は、
上記差込方向に沿って、上記天板の上記差込開口部よりも筐体正面寄りに形成された
ことを特徴とする請求項２に記載の電子機器。
【請求項７】
上記差込開口部は、
上記天板の一部が上記筐体背面側から上記筐体正面側にかけて上記内部空間に徐々に落ち込んで傾斜するように形成され、当該内部空間への上記指の差し込みをガイドする差込ガイドと、
上記差込ガイドの上記筐体正面側の端部に形成され、上記内部空間を上記外部に開放する開口と
を具えることを特徴とする請求項６に記載の電子機器。
【請求項８】
上記指掛部は、
上記凹部の上記溝が所定の深さを有し、当該溝の幅及び長さがコンパクトディスクの収納ケースの厚み及び横幅に応じて選定された
ことを特徴とする請求項６に記載の電子機器。
【請求項９】
上記指掛部は、
上記凹部の上記溝が所定の深さを有し、当該溝の幅及び長さが携帯型再生端末のアダプタの厚み及び横幅に応じて選定された
ことを特徴とする請求項６に記載の電子機器。
【請求項１０】
リモートコントローラ
を具え、
上記指掛部は、
上記凹部の上記溝が所定の深さを有し、当該溝の幅及び長さが上記リモートコントローラの一端の厚み及び横幅に応じて選定された
ことを特徴とする請求項６に記載の電子機器。
【請求項１１】
電子部品が収納され、持運用の持運ハンドルが設けられた電子機器の筐体において、
上記持運ハンドルは、
上記筐体内の上記電子部品と当該筐体の天板の天板内面との間に形成された内部空間に対し、外部から指を差し込ませるための差込開口部と、
上記差込開口部を介して上記内部空間に差し込まれた上記指と対向する上記天板の対向部分が上記天板外面側から上記内部空間側へ押し出されるようにして上記天板の一部として上記天板外面側に凹部を有し、かつ上記天板内面側に凸部を有するように形成され、当該凸部に上記差込開口部を介して上記内部空間に差し込まれた上記指が掛けられる指掛部と
を具えることを特徴とする電子機器の筐体。
【請求項１２】
上記指掛部は、
上記凹部が、上記差込開口部を介して上記内部空間へ上記指が差し込まれる差込方向よりも当該差込方向と直交する直交方向へ長い溝状に形成されると共に、上記凸部が上記差込方向よりも上記直交方向へ長い箱状に形成される
ことを特徴とする請求項１１に記載の電子機器の筐体。
【請求項１３】
上記指掛部は、
上記凸部の底面に上記差込方向と平行な１又は複数の線状に突出する滑止部が形成されると共に、上記差込方向に沿って奥側となる上記凸部の一方の壁面にも上記底面の上記滑止部が延長して形成される
ことを特徴とする請求項１２に記載の電子機器の筐体。
【請求項１４】
上記指掛部は、
上記凸部の底面及び上記差込方向に沿って奥側となる一方の壁面に、上記直交方向と平行な１又は複数の線状に突出する滑止部が形成される
ことを特徴とする請求項１２に記載の電子機器の筐体。
【請求項１５】
上記指掛部は、
上記差込方向に沿って奥側となる上記凸部の一方の壁面に、上記直交方向に沿った波型の滑止部が形成される
ことを特徴とする請求項１２に記載の電子機器の筐体。
【請求項１６】
上記差込開口部は、
上記天板の上記筐体背面寄りに設けられ、
上記指掛部は、
上記差込方向に沿って、上記天板の上記差込開口部よりも筐体正面寄りに形成された
ことを特徴とする請求項１２に記載の電子機器の筐体。
【請求項１７】
上記差込開口部は、
上記天板の一部が上記筐体背面側から上記筐体正面側にかけて上記内部空間に徐々に落ち込んで傾斜するように形成され、当該内部空間への上記指の差し込みをガイドする差込ガイドと、
上記差込ガイドの上記筐体正面側の端部に形成され、上記内部空間を上記外部に開放する開口と
を具えることを特徴とする請求項１６に記載の電子機器の筐体。
【請求項１８】
上記指掛部は、
上記凹部の上記溝が所定の深さを有し、当該溝の幅及び長さがコンパクトディスクの収納ケースの厚み及び横幅に応じて選定された
ことを特徴とする請求項１６に記載の電子機器の筐体。
【請求項１９】
上記指掛部は、
上記凹部の上記溝が所定の深さを有し、当該溝の幅及び長さが携帯型再生端末のアダプタの厚み及び横幅に応じて選定された
ことを特徴とする請求項１６に記載の電子機器の筐体。
【請求項２０】
上記指掛部は、
上記凹部の上記溝が所定の深さを有し、当該溝の幅及び長さが電子機器に付属するリモートコントローラの一端の厚み及び横幅に応じて選定された
ことを特徴とする請求項１６に記載の電子機器の筐体。
【発明の詳細な説明】
【技術分野】
【０００１】
本発明は電子機器及び電子機器の筐体に関し、例えば音楽データを再生する音楽再生装置に適用して好適なものである。
【背景技術】
【０００２】
従来の記録再生装置は、筐体に対し装置持運用のコ字状の持運ハンドルが、その棒状のハンドル胴体部の一端及び他端に設けられた２本のハンドル腕部を介して回転可能に取り付けられていた。そして記録再生装置は、例えば筐体背面側に回転されていた持運ハンドルを筐体の天板側に起こすように回転させてハンドル胴体部を手で持たせることで、その持運ハンドルを介して記録再生装置全体を持ち上げさせて持ち運びできるようにしていた（例えば、特許文献１参照）。
【特許文献１】特開２０００−２００４７５公報（図２）
【発明の開示】
【発明が解決しようとする課題】
【０００３】
ところが、かかる構成の記録再生装置は、筐体に対し別部品として持運ハンドルを設けていることにより、記録再生装置の構成が煩雑化していると言う問題があった。
【０００４】
本発明は以上の点を考慮してなされたもので、構成を簡易化し得る電子機器及び電子機器の構成を簡易化し得る筐体を提案しようとするものである。
【課題を解決するための手段】
【０００５】
かかる課題を解決するため本発明においては、電子機器の電子部品が収納される筐体に対し、当該筐体内の電子部品と筐体の天板の天板内面との間に形成された内部空間に、外部から指を差し込ませるための差込開口部と、当該差込開口部を介して内部空間に差し込まれた指と対向する天板の対向部分が天板外面側から内部空間側へ押し出されるようにして天板の一部として天板外面側に凹部を有し、かつ天板内面側に凸部を有するように形成され、当該凸部に差込開口部を介して内部空間に差し込まれた指が掛けられる指掛部とから構成される持運用の持運ハンドルを設けるようにした。
【０００６】
従って本発明では、筐体に対し持運ハンドルとして個別の部品を何ら設けることなく、当該筐体の一部を持運ハンドルとして機能させることができる。
【発明の効果】
【０００７】
本発明によれば、電子機器の電子部品が収納される筐体に対し、当該筐体内の電子部品と筐体の天板の天板内面との間に形成された内部空間に、外部から指を差し込ませるための差込開口部と、当該差込開口部を介して内部空間に差し込まれた指と対向する天板の対向部分が天板外面側から内部空間側へ押し出されるようにして天板の一部として天板外面側に凹部を有し、かつ天板内面側に凸部を有するように形成され、当該凸部に差込開口部を介して内部空間に差し込まれた指が掛けられる指掛部とから構成される持運用の持運ハンドルを設けるようにしたことにより、電子機器の筐体に対し持運ハンドルとして個別の部品を何ら設けることなく、筐体の一部を持運ハンドルとして機能させることができ、かくして構成を簡易化し得る電子機器及び電子機器の構成を簡易化し得る筐体を実現することができる。
【発明を実施するための最良の形態】
【０００８】
以下図面について、本発明の一実施の形態を詳述する。
【０００９】
図１において、１は全体として本発明を適用した音楽再生装置を示し、電源回路や再生処理回路、表示処理回路等の種々の電子部品が収納された箱型の筐体２を有している。この筐体２は、正面（以下、これを筐体正面と呼ぶ）２Ａの中央部に、再生開始ボタン及び再生停止ボタン等の各種操作ボタン３や、液晶パネル又は有機ＥＬ（Electro Luminescence）パネル等でなる表示パネル４が配置されている。
【００１０】
また筐体正面２Ａには、筐体２内に電子部品として収納されたコンパクトディスクドライブ５の端部が露出し、当該コンパクトディスクドライブ５が、ディスクトレイ５Ａを筐体正面２Ａの前側にせり出させ、また内部に収納し得るようになされている。さらにまた筐体正面２Ａには、左右に電子部品としての一対のステレオスピーカ６Ａ及び６Ｂが配置されている。因みに筐体２の天板２Ｂにも、筐体正面２Ａ寄りに電源ボタンや音量調節ボタン等の種々の操作ボタン７が配置されている。
【００１１】
これにより音楽再生装置１は、操作ボタン３の操作に応じて、コンパクトディスクドライブ５のディスクトレイ５Ａを筐体正面２Ａの前側にせり出させ、かくしてディスクトレイ５Ａにコンパクトディスクを載上させ得るようになされている。そして音楽再生装置１は、操作ボタン３の操作に応じて、ディスクトレイ５Ａをコンパクトディスクドライブ５内に収納することにより、ディスクトレイ５Ａ上のコンパクトディスクを当該コンパクトディスクドライブ５の内部に装填させることができる。
【００１２】
このようにして音楽再生装置１は、コンパクトディスクが装填された状態で操作ボタン３を介して再生開始命令が入力されると、コンパクトディスクから音楽データを再生し、その音楽データに基づくステレオ音楽をステレオスピーカ６Ａ及び６Ｂを介して放音してユーザに聴かせることができる。また音楽再生装置１は、例えば音楽データの再生中には再生時間のように再生中の音楽データに関連する種々の情報を表示パネル４に表示してユーザに通知し得るようになされている。
【００１３】
かかる構成に加えて、この音楽再生装置１の場合、筐体２の天板２Ｂの中央部には、当該筐体２の背面（以下、これを筐体背面と呼ぶ）２Ｃ側から筐体正面２Ａ側にかけて装置持運用の持運ハンドル１０が設けられている。図２及び図３に示すように、筐体２の内部には、当該筐体２内の底寄りに収納された電子部品と、天板２Ｂの天板内面２ＢＸとの間で、かつ筐体正面２Ａ寄りに例えば天板内面２ＢＸと平行な偏平状の内部空間ＩＡが形成されている。
【００１４】
そして持運ハンドル１０には、天板２Ｂの筐体背面２Ｃ寄りに当該天板２Ｂと一体に形成され、内部空間ＩＡに対し外部からユーザに指を差し込ませるための差込開口部１１が設けられている。また持運ハンドル１０には、差込開口部１１を介して内部空間ＩＡに差し込まれる指と対向する天板２Ｂの筐体正面２Ａ寄りの対向部分が天板外面２ＢＹ側から内部空間ＩＡ側へ押し出されることで、天板外面２ＢＹ側に凹部１２Ａを有し、かつ天板内面２ＢＸ側に凸部１２Ｂを有するように天板２Ｂと一体に形成された指掛部１２も設けられている。
【００１５】
ここで、持運ハンドル１０が設けられる天板２Ｂは、その外形に応じた形状の成型面を有する金型により樹脂材を成型して形成される。そして本実施の形態の場合、かかる金型には、筐体背面２Ｃ寄りの所定部分の天板外面２ＢＹと対向する一方の成型面及び当該所定部分の天板内面２ＢＸと対向する他方の成型面にそれぞれ差込開口部１１の形状に応じた加工が施されている。また、かかる金型には、天板外面２ＢＹと対向する一方の成型面に指掛部１２の凹部１２Ａに対応する凸部が形成され、かつ天板内面２ＢＸと対向する他方の成型面に指掛部１２の凸部１２Ｂに対応する凹部も形成されている。これにより本実施の形態では、このような金型を用いて樹脂材を成型することで、天板２と共に持運ハンドル１０（すなわち、差込開口部１１及び指掛部１２）が一体に形成されている。
【００１６】
実際に差込開口部１１には、天板２Ｂの筐体背面２Ｃ寄りの中央部分に、当該筐体背面２Ｃ側から筐体正面２Ａ側にかけて筐体２の内部へ徐々に落ち込んで傾斜するように形成され、筐体背面２Ｃ側から内部空間ＩＡへの指の差し込みをガイドするための差込ガイド１１Ａが設けられている。そして差込ガイド１１Ａは、平板状の底板１１ＡＸと、当該底板１１ＡＸの両脇を天板２Ｂに連結する一対の連結壁１１ＡＹ及び１１ＡＺとから形成されている。
【００１７】
また差込開口部１１には、差込ガイド１１Ａの筐体正面２Ａ側の端部（すなわち、底板１１ＡＸが筐体２内に最も落ち込んだ側の端部）に形成された、筐体正面２Ａと平行な開口１１Ｂも設けられている。これにより差込開口部１１は、筐体２の内部空間ＩＡを、開口１１Ｂ及び差込ガイド１１Ａを介して外部に開放し得るようになされている。よって差込開口部１１は、ユーザの指を差込ガイド１１Ａにより天板外面２ＢＹの筐体背面２Ｃ側から内部空間ＩＡまでガイドするようにして、当該内部空間ＩＡに対し例えば矢印ａに示す、天板２Ｂと平行でかつ筐体背面２Ｃから筐体正面２Ａに向かう差込方向（以下、これを単に差込方向と呼ぶ）に沿って指を差し込ませることができるようになされている。
【００１８】
一方、指掛部１２は、天板２Ｂの成型時に天板外面２ＡＹを凹ませ、その込みに応じて天板内面２ＢＸを突出させることで例えば全体として当該天板２Ｂの板厚と同じ板厚を有するように、天板外面１２ＢＹ側の凹部１２Ａと天板内面２ＢＸ側の凸部１２Ｂとが形成されている。そして指掛部１２の凹部１２Ａは、差込方向よりも、当該差込方向と直交する矢印ｂに示す天板２Ｂと平行な直交方向（すなわち、筐体２を筐体正面２Ａから見たときの左右方向でもあり、以下、これを単に直交方向と呼ぶ）へ長く、かつ当該直行方向と平行な溝状に形成されている。また指掛部１２の凸部１２Ｂは、差込方向よりも直交方向へ長く、かつ当該直交方向と平行な箱状に形成されている。これにより指掛部１２は、ほぼ平板である天板２Ｂに対し強度補強用のリブとして機能し、当該天板２Ｂが比較的薄く形成された場合でも、外部からの圧力によって割れる等して破損することを防止している。
【００１９】
ところで差込開口部１１の開口１１Ｂは、差込ガイド１１Ａの筐体正面２Ａ側の端部と、天板２Ｂにおいて差込ガイド１１Ａの形成により生じた切欠部分２ＢＺとを一周に亘る縁部として、直交方向に沿って長い略長方形状に形成されている。また差込開口部１１の開口１１Ｂは、直交方向の横幅が例えば15〔ｍｍ〕程度又はそれ以上に選定されている。さらに指掛部１２の凸部１２Ｂは、直交方向の長さが、差込開口部１１の開口１１Ｂの横幅よりも長く選定されている。そして指掛部１２の凸部１２Ｂは、その中央を、差込方向と平行で開口１１Ｂの中央を通る仮想線上に位置させるように配置されている。
【００２０】
これにより図４（Ａ）及び（Ｂ）に示すように、持運ハンドル１０は、ユーザに対し筐体背面２Ｃ側から手の甲を天板外面２ＢＹに向けさせた状態（すなわち、手のひらを天板外面２ＢＹの上側に向けさせた状態）で例えば人差し指から小指までの４本の指を差込方向に沿って開口１１Ｂから内部空間ＩＡに差し込ませることができる。そして図５に示すように、持運ハンドル１０は、ユーザに対し差込開口部１１を介して内部空間ＩＡに指を差し込ませた場合、当該指を指掛部１２の凸部１２Ｂの底面１２ＢＸ側に潜り込ませることができる。
【００２１】
その結果、持運ハンドル１０は、ユーザに対し例えば４本の指を、指掛部１２の凸部１２Ｂの差込方向に沿って奥側となる一方の外壁の壁面１２ＢＹ（すなわち、筐体正面２Ａ寄りの一方の壁面１２ＢＹ）から底面１２ＢＸに渡って掛けさせることができる。このようにして持運ハンドル１０は、ユーザに対し４本の指を指掛部１２の凸部１２Ｂに掛けさせた状態で当該手と共に音楽再生装置１全体を持ち上げさせることができる。そして持運ハンドル１０は、その際、音楽再生装置１に働く重力を指掛部１２の凸部１２Ｂに掛けさせた例えば４本の指で受け止めさせ、かくしてユーザに音楽再生装置１を落とさずに持ち運ばせることができる。
【００２２】
ところで持運ハンドル１０は、差込開口部１１の開口１１Ｂと、指掛部１２の凸部１２Ｂとが比較的近づけて配置されている。従って持運ハンドル１０は、例えばユーザの人差し指から小指までの４本の指が内部空間ＩＡに差し込まれた場合、天板外面２ＢＹ側に位置させている親指の根本部分を天板２Ｂの切欠部分２ＢＺに押し付けさせて指掛部１２の凸部１２Ｂを当該天板２Ｂの切欠部分２ＢＺ付近と共に握らせるように、その凸部１２Ｂに４本の指を掛けさせることができる。これにより持運ハンドル１０は、ユーザに対し強固に保持させた状態で音楽再生装置１をさらに安定して持ち運ばせることができる。
【００２３】
因みに内部空間ＩＡ（図５）には、筐体２内の電子部品を覆うように絶縁性のカバーＣＢが設けられている。従って音楽再生装置１は、持運ハンドル１０の差込開口部１１を介して内部空間ＩＡにユーザの指が差し込まれた場合に、その指が電子部品に接触して破損すること等を防止している。
【００２４】
さらに音楽再生装置１は、例えば重心が筐体２の中央底側にある。このため差込ガイド１１Ａの底板１１ＡＸは、筐体正面２Ａ側から見たときに筐体背面２Ｃ側の横幅よりも筐体正面２Ａ側の横幅がわずかに狭い略逆台形状に形成されている。そして差込ガイド１１Ａには、かかる底板１１ＡＸの形状に応じて一対の連結壁１１ＡＹ及び１１ＡＺが、筐体背面２Ｃ側の端部同士より筐体正面２Ａ側の端部同士を近づけるようにして設けられている。
【００２５】
これにより持運ハンドル１０は、内部空間ＩＡに対しユーザが指を筐体右側や筐体左側から差し込もうとした場合、差込ガイド１１Ａの一対の連結壁１１ＡＹ及び１１ＡＺ及び開口１１Ｂの配置位置によりユーザの手の進行方向を差込方向と極力一致させるように修正して指をガイドすることができる。よって持運ハンドル１０は、内部空間ＩＡに対しユーザにより指が差し込まれたときに、指掛部１２の凸部１２Ｂのほぼ中央部分に指を掛けさせることができるようになされている。その結果、持運ハンドル１０は、ユーザに対し音楽再生装置１を左右の重みのバランスが取れる位置で持ち運ばせることができる。
【００２６】
また図６に示すように、指掛部１２の凸部１２Ｂは、底面１２ＢＸに差込方向と平行な複数の線状に突出する滑止部１２ＢＡが所定間隔で形成されている。さらに指掛部１２の凸部１２Ｂは、差込方向に沿って奥側及び手前側となる一対の外壁の壁面１２ＢＹ及び１２ＢＺにも、底面１２ＢＸの複数の滑止部１２ＢＡが延長して形成されている。これにより図７に示すように、指掛部１２は、例えばユーザの４本の指が凸部１２Ｂに掛けられたとき、滑止部１２ＢＡを互いの指の間に位置させ得るようになされている。
【００２７】
従って指掛部１２は、ユーザにより持運ハンドル１０を介して音楽再生装置１が持ち運ばれる際、指が凸部１２Ｂの中央部分から直交方向の一方又は他方の端部側にずれて掛けられたことで手を基点にした音楽再生装置１の左右の重みのバランスが崩れて当該音楽再生装置１が右又は左に傾いたときや、指が凸部１２Ｂの中央部分に掛けられていてもユーザにより音楽再生装置１が左右に傾けられたときに、当該凸部１２Ｂに掛けられているユーザの指の横腹に滑止部１２ＢＡを押し付けるようにして引っ掛けることができる。よって指掛部１２は、ユーザにより持運ハンドル１０を介して音楽再生装置１が持ち運ばれるときに当該音楽再生装置１が右又は左に傾いても、凸部１２Ｂから、これに掛けられている指が滑って外れ、その結果、音楽再生装置１を落下させるようなことを極力回避している。
【００２８】
これに加えて指掛部１２の凹部１２Ａは、溝の深さが所定の深さ（例えば、10〔ｍｍ〕程度）に選定されている。また凸部１２Ａは、溝の幅（すなわち、差込方向に沿った長さ）がコンパクトディスクの収納ケースの厚み（例えば、10〔ｍｍ〕程度）に応じて当該厚みよりもわずかに広く（例えば、12〔ｍｍ〕程度）選定されている。さらに凸部１２Ａは、溝の長さ（すなわち、直交方向に沿った長さ）が、コンパクトディスクの収納ケースの横幅（例えば、150 〔ｍｍ〕程度）よりもわずかに長く（例えば、170 〔ｍｍ〕程度）に選定されている。
【００２９】
従って図８及び図９に示すように、指掛部１２は、例えばコンパクトディスクから音楽データが再生されるとき、そのコンパクトディスクが収納される収納ケース２０の端部を凹部１２Ａの溝に挿入させることができる。そして指掛部１２は、凹部１２Ａの溝の幅が収納ケース２０の厚みよりもわずかに広く選定されていることにより、当該凹部１２Ａの溝に端部が挿入された収納ケース２０を例えば筐体背面２Ｃ側に傾斜させることで、その収納ケース２０の端部の正面側の角を溝の筐体正面２Ａ寄りの内壁１２ＡＸに突き当てる。これにより指掛部１２は、凹部１２Ａの溝内に収納ケース２０の端部を保持し、かくしてコンパクトディスクから音楽データが再生されている間、収納ケース２０に収納されているジャケット写真をユーザに見せることができる。
【００３０】
以上の構成において、音楽再生装置１は、電子部品が収納された筐体２に対し、当該筐体２の内部空間ＩＡに外部から指を差し込ませるための差込開口部１１と、その差込開口部１１を介して内部空間ＩＡに差し込まれた指と対向する天板２Ｂの対向部分に当該天板２Ｂの一部として天板外面２ＢＹ側に凹部１２Ａを有し、かつ当該凹部１２Ａに応じて天板内面２ＢＸ側に凸部１２Ｂを有するように形成された指掛部１２とから構成される持運ハンドル１０を設けた。
【００３１】
そして音楽再生装置１は、ユーザに対し筐体背面２Ｃ側から手の甲を天板外面２ＢＹに向けさせた状態で例えば人差し指から小指までの４本の指を、差込方向に沿って持運ハンドル１０の差込開口部１１を介して内部空間ＩＡに差し込ませて、当該内部空間ＩＡで指を指掛部１２の凸部１２Ｂに掛けさせる。このようにして音楽再生装置１は、筐体２の天板２Ｂと一体に形成している持運ハンドル１０をユーザに保持させた状態で当該音楽再生装置１を持ち運ばせることができる。
【００３２】
以上の構成によれば、音楽再生装置１は、筐体２に対し、内部空間ＩＡに外部から指を差し込ませるための差込開口部１１と、当該差込開口部１１を介して内部空間ＩＡに差し込まれた指と対向する天板２Ｂの対向部分を天板外面２ＢＹ側では凹部１２Ｂとし、かつ当該凸部１２Ｂに応じて天板内面２ＢＸ側では指が掛けられる凸部１２Ｂとして天板２Ｂと一体に形成された指掛部１２とから構成される持運ハンドル１０を設けるようにした。これにより音楽再生装置１は、筐体２に対し持運ハンドル１０として個別の部品を何ら設けることなく、当該筐体２の一部を持運ハンドル１０として機能させることができる。よって音楽再生装置１は、構成を簡易化することができる。
【００３３】
また音楽再生装置１は、持運ハンドル１０の指掛部１２において天板内面２ＢＸ側の凸部１２Ｂを指の差込方向と直交する直交方向へ長い箱状に形成した。これにより音楽再生装置１は、持運ハンドル１０において指掛部１２の凸部１２Ｂに対し例えば人差し指から小指までの４本の指を容易に掛けさせることができる。そして音楽再生装置１は、持運ハンドル１０を介して持ち運ばれるとき、当該音楽再生装置１の自重により指掛部１２の凸部１２Ｂに掛けられている４本の指に下方向に引っ張るような力が作用するものの、その力を当該４本の指に分散させることができる。よって音楽再生装置１は、ユーザに対し持運ハンドル１０を介して極力安定して持ち運ばせることができる。
【００３４】
ところで人間は、本来、リラックスした状態のとき、自然に手のひら及び指先を自分の体に向けるような姿勢を取る。このため音楽再生装置１は、筐体２の天板２Ｂにおいて持運ハンドル１０の差込開口部１１を筐体背面２Ｃ寄りに設けると共に指掛部１２を筐体正面２Ａ寄りに設けるようにしてユーザに対し筐体背面２Ｃ側から内部空間ＩＡに指を差し込ませて凸部１２Ｂに指を掛けさせるようにした。従って音楽再生装置１は、持運ハンドル１０を介してユーザに持ち運ばれるとき、そのユーザに対し筐体正面２Ａを体に向けさせるような姿勢を無理なく取らせることができ、かくして持ち運びの際に表示パネル４や各種操作ボタン３等が露出する筐体正面２Ａをユーザの体で保護させることができる。
【００３５】
さらに音楽再生装置１は、持運ハンドル１０において指掛部１２の凸部１２Ｂの底面１２ＢＸと壁面１２ＢＹ及び１２ＢＺとに複数の滑止部１２ＢＡを所定間隔で設けるようにした。従って音楽再生装置１は、ユーザにより持運ハンドル１０を介して持ち運ばれるとき、指掛部１２の凸部１２Ｂから指が滑って外れることを極力回避することができる。また音楽再生装置１は、このように指掛部１２の凸部１２Ｂに対し複数の滑止部１２ＢＡを設けることで、例えば指掛部１２が比較的薄く形成された場合でも、その指掛部１２ＢＡをリブとして機能させて当該凸部１２Ｂの強度を高めることができる。
【００３６】
さらにまた筐体２の天板２Ｂに対し持運ハンドル１０の指掛部１２を一体に形成するには、例えば天板外面２ＢＹ側に凹部１２Ａを形成せずに天板内面２ＢＸ側に凸部１２Ｂのみを形成する手法が考えられる。ところが、かかる手法では、天板外面２ＢＹから凸部１２Ｂの底面１２ＢＸまでの肉厚が比較的厚く選定されると、天板２Ｂの成型用の金型により樹脂材を成型して硬化させるとき、当該凸部１２Ｂの裏側（すなわち、天板外面２ＢＹ）に、樹脂材が必要以上に収縮して、ひけと呼ばれるいびつなへこみが生じる場合がある。
【００３７】
このため本実施の形態では、かかる手法を用いずに、天板２Ｂと持運ハンドル１０の指掛部１２とを一体に形成する場合、指掛部１２の肉厚を天板２Ｂの肉厚とほぼ等しくするようにして、天板外面２ＢＹ側に指掛部１２の凹部１２Ａを形成すると共に、その凹部１２Ａに応じて天板内面２ＢＸ側に当該指掛部１２の凸部１２Ｂを形成するようにした。これにより本実施の形態では、天板２Ｂと指掛部１２との一体成型により天板外面２ＢＹにひけが生じることを回避すると共に、さらには指掛部１２をリブとして機能させて天板２Ｂの強度を高めることができる。また本実施の形態では、持運ハンドル１０の指掛部１２自体も箱状に形成することで強度が低下することを回避し、音楽再生装置１の持ち運びの際に指が掛けられて筐体背面２Ｃ側に引っ張るような力が作用しても、十分に耐え得るようにした。従って本実施の形態では、天板２Ｂと共に指掛部１２が比較的薄く形成された場合でも、その天板２Ｂ及び指掛部１２が外部からの圧力によって割れる等して破損することを防止することができる。
【００３８】
そして音楽再生装置１は、天板２に対し一体に形成した指掛部１２の凹部１２Ａを、コンパクトディスクの収納ケース２０のスタンドとして機能させている。従って音楽再生装置１は、コンパクトディスクから音楽データを再生する際に、コンパクトディスクが取り出された収納ケース２０の置き場所を容易に提供することができると共に、収納ケース２０を指掛部１２の凹部１２Ａに立たせるように保持することで、当該収納ケース２０に収納されているジャケット写真を容易に見せることができる。
【００３９】
なお上述した実施の形態においては、指掛部１２の凸部１２Ｂにおいて底面１２ＢＸと、差込方向に沿って奥側及び手前側となる一対の外壁の壁面１２ＢＹ及び１２ＢＺとに滑止部１２ＢＡを形成するようにした場合について述べたが、本発明はこれに限らず、指掛部１２の凸部１２Ｂにおいて底面１２ＢＸと一対の外壁の壁面１２ＢＹ及び１２ＢＺとに連結して又は別々の位置に１本の滑止部１２ＢＡを形成するようにしても良いし、指の腹が掛る底面１２ＢＸ及び又は差込方向に沿って奥側となる一方の外壁の壁面１２ＢＹにのみ１又は複数の滑止部１２ＢＡを形成するようにしても良い。そして指掛部１２については、かかる構成によっても、凸部１２Ｂに掛けられた指が滑って外れることを防止することができる。
【００４０】
また上述した実施の形態においては、指掛部１２の凸部１２Ｂにおいて底面１２ＢＸに差込方向と平行な複数の線状に突出する滑止部１２ＢＡを形成すると共に、一対の外壁の壁面１２ＢＹ及び１２ＢＺにも底面１２ＢＸの複数の滑止部１２ＢＡを延長して形成するようにした場合について述べたが、本発明はこれに限らず、図１０に示すように、指掛部２５の凸部２５Ｂにおいて底面２５ＢＸと一対の外壁の壁面２５ＢＹ及び２５ＢＺとに直交方向と平行な複数の線状に突出する滑止部２５ＢＡを形成するようにしても良いし、図１１に示すように、指掛部２６の凸部２６Ｂにおいて差込方向に沿って奥側となる一方の外壁の壁面２６ＢＹに直交方向に沿って波型の滑止部２６ＢＡを形成するようにしても良く、かかる構成でも、凸部２５Ｂに掛けられた指が筐体背面２Ｃ側に滑って外れることを防止することができると共に、凸部２６Ｂに掛けられた指が筐体２の右側や左側に滑って外れることを防止することができる。
【００４１】
因みに、図１０について上述した指掛部２５については、凸部２５Ｂにおいて底面２５ＢＸと一対の外壁の壁面２５ＢＹ及び２５ＢＺとにそれぞれ１本の滑止部２５ＢＡを形成するようにしても良いし、指の腹が掛る底面２５ＢＸ及び又は差込方向に沿って奥側となる一方の外壁の壁面２５ＢＹにのみ１又は複数の滑止部２５ＢＡを形成するようにしても良い。また図１１について上述した指掛部２６についても、凸部２６Ｂにおいて底面２６ＢＸと一対の外壁の壁面２６ＢＹ及び２６ＢＺとに波型の滑止部２６ＢＡを形成するようにしても良いし、指の腹が掛る底面２６ＢＸ及び差込方向に沿って奥側となる一方の外壁の壁面２６ＢＹとにのみ、又は底面２６ＢＸにのみ滑止部２６ＢＡを形成するようにしても良い。そして指掛部２５及び２６については、かかる構成によっても、凸部２５Ｂ及び２６Ｂに掛けられた指が滑って外れることを防止することができる。
【００４２】
さらに上述した実施の形態においては、指掛部１２の凸部１２Ｂを直交方向に長い箱状に形成するようにした場合について述べたが、本発明はこれに限らず、指掛部１２の凸部１２Ｂを筐体正面２Ａ側又は筐体背面２Ｃ側に湾曲する円弧状に形成し、又は直行方向に沿って順次幅を変化させる蛇腹状や幅は変化させずに湾曲の方向を変化させる波状等のように、この他種々の形状に形成するようにしても良い。また指掛部１２については、凸部１２Ｂに対する天板内面２ＢＸから底面１２ＢＸまでの高さも、筐体背面２Ｃ側より筐体正面２Ａ側を高くし、又は直交方向の端部よりも中央部を高くする等のように種々の高さに形成するようにしても良い。そして指掛部１２については、このように凸部１２Ｂを種々の形状や高さに形成する場合、板厚を部分毎に変化させるようにして、凸部１２Ｂの形状を凹部１２Ａの形状に依存させないようにすることもできる。
【００４３】
さらに上述した実施の形態においては、指掛部１２の凹部１２Ａを、コンパクトディスクの収納ケースの形状に応じて直交方向へ長い溝状に形成するようにした場合について述べたが、本発明はこれに限らず、指掛部１２の凹部１２Ａを、この他種々の挿入対象物の形状に応じた溝状に形成するようにしても良い。
【００４４】
すなわち、図８との対応部分に同一符号を付した図１２に示すように、音楽再生装置３０の筐体３１において、天板３１Ｂに設けられる持運ハンドル３２の指掛部３３の凹部３３Ａを、例えば挿入対象物としての、当該音楽再生装置３０と接続可能な携帯型再生端末３５のアダプタ３６の形状に応じて、直交方向へ長く中央部が幅広な溝状に形成するようにしても良い。
【００４５】
この場合、アダプタ３６は、略台形体状の本体部３６Ａの上面に携帯型再生端末３５を装着するための装着穴３６Ｂが形成され、当該装着穴３６Ｂの底面に接続端子３７が設けられている。そしてアダプタ３６は、その装着穴３６Ｂに携帯型再生端末３５が差し込まれると、当該装着穴３６Ｂ内の接続端子を、携帯型再生端末３５の底面に設けられた接続端子に接続し得るようになされている。またアダプタ３６は、例えば図示しない接続ケーブルを介して音楽再生装置３０と接続し得るようになされている。これによりアダプタ３６は、例えば音楽再生装置３０によりコンパクトディスクから再生された音楽データを取り込んで携帯型再生端末３５に転送し、かくして携帯型再生端末３５内の記録媒体に音楽データを記録させ得るようになされている。
【００４６】
そして指掛部３３は、凹部３３Ａの溝の深さが、アダプタ３６の高さに応じて所定の深さに選定されている。また指掛部３３は、凹部３３Ａの溝の中央部の幅が、アダプタ３６の厚み（すなわち、奥行き）に応じて選定されると共に、当該溝の長さがアダプタ３６の横幅よりも長く選定されている。これにより図１３及び図１４に示すように、持運ハンドル３２の指掛部３３は、例えば音楽再生装置３０からアダプタ３６を経由して携帯型再生端末３５に音楽データが転送されるとき、そのアダプタ３６を凹部３３Ａの溝の中央部に挿入させることができる。すなわち持運ハンドル３２は、かかる構成の場合、音楽再生装置３０からアダプタ３６を経由して携帯型再生端末３５への音楽データの転送時に、そのアダプタ３６の置き場所を容易に提供することができる。
【００４７】
因みに持運ハンドル３２の指掛部３３では、凹部３３Ａの溝の長さをアダプタ３６の横幅と同じ長さに選定することもできる。しかしながら図１３に示すように、持運ハンドル３２では、凹部３３Ａの溝の長さをアダプタ３６の横幅よりも長く選定することで、例えば音楽再生装置３０に対しアダプタ３６が接続されてはいないときでも、そのアダプタ３６を凹部３３Ａの溝の中央部に挿入させ、その際に、アダプタ３６に設けられている音楽再生装置３０との接続ケーブルを凹部３３Ａの溝の空いた部分に収納させることもできる。すなわち、かかる構成によれば、持運ハンドル３２の凹部３３Ａをアダプタ３６の保管場所としても機能させることができる。
【００４８】
これに加えて持運ハンドル１０の指掛部１２については、例えば音楽再生装置１に付属品としてリモートコントローラが設けられるような場合、そのリモートコントローラを挿入対象物として、凹部１２Ａの溝の深さを所定の深さに選定すると共に、当該溝の幅及び長さをリモートコントローラの一端の厚み及び横幅に応じて選定するようにしても良い。かかる構成によれば、持運ハンドル１０については、リモートコントローラが使用されていないときに、指掛部１２の凹部１２Ａにリモートコントローラの端部を挿入させることで、当該凹部１２Ａをリモートコントローラの置き場所として機能させることができる。さらに持運ハンドル１０の指掛部１２については、凹部１２Ａの溝の深さ及び幅並びに長さを適宜選定することで、挿入対象物としての例えば写真たてや携帯型再生端末のスタンド等としても機能させることができる。
【００４９】
さらに上述した実施の形態においては、持運ハンドル１０の差込開口部１１を天板２Ｂと一体に形成するようにした場合について述べたが、本発明はこれに限らず、持運ハンドル１０の差込開口部１１を例えば開口として筐体背面２Ｃと一体に形成するようにしても良い。かかる構成によれば、例えば持運ハンドル１０の指掛部１２を筐体背面２Ｃ寄りに形成することで、当該筐体背面２Ｃに設けられた差込開口部としての開口を介して内部空間へ指を差し込ませて凸部１２Ｂに掛けさせることができ、かくして上述した実施の形態と同様の効果を得ることができる。
【００５０】
さらに上述した実施の形態においては、音楽再生装置１の筐体２に対し１つの持運ハンドル１０を設けるようにした場合について述べたが、本発明はこれに限らず、音楽再生装置１の筐体２に対し当該音楽再生装置１を両手で持ち運ぶように、２つの持運ハンドル１０を横に並べて設けるようにしても良い。かかる構成によれば、例えば音楽再生装置１の筐体２が大型化している場合でも、当該音楽再生装置１を２つの持運ハンドル１０を介して容易に持ち運ばせることができる。
【００５１】
さらに上述した実施の形態においては、筐体２の天板２Ｂの中央部に、筐体背面２Ｃ側から筐体正面２Ａ側にかけて差込開口部１１及び指掛部１２を順次配置するようにして持運ハンドル１０を設けるようにした場合について述べたが、本発明はこれに限らず、例えば音楽再生装置１の重心位置に応じて、筐体２の天板２Ｂの中央部に、筐体正面２Ａ側から筐体背面２Ｃ側にかけて差込開口部１１及び指掛部１２を順次配置するようにして持運ハンドル１０が設け、又は筐体２の天板２Ｂの所定部分に、筐体２の左右方向に沿って差込開口部１１及び指掛部１２を順次配置するようにして持運ハンドル１０を設ける等のように、持運ハンドル１０をこの他種々の部分に設けるようにしても良い。
【００５２】
さらに上述した実施の形態においては、本発明による電子機器を、図１乃至図１４について上述した音楽再生装置１に適用するようにした場合について述べたが、本発明はこれに限らず、パーソナルコンピュータの本体や、ゲーム機器、ディスクレコーダ、テレビジョン受像機、プリンタ等のように、この他種々の電子機器に広く適用することができる。
【産業上の利用可能性】
【００５３】
本発明は、音楽再生装置やプリンタ等の電子機器に利用することができる。
【図面の簡単な説明】
【００５４】
【図１】本発明による音楽再生装置の全体構成の一実施の形態を示す略線的斜視図である。
【図２】持運ハンドルの外観構成を示す略線的斜視図である。
【図３】持運ハンドルの内部構成を示す略線的断面図である。
【図４】内部空間への指の指し込みの説明に供する略線的斜視図である。
【図５】持運ハンドルの指掛部に対する指の掛けかたの説明に供する略線的断面図である。
【図６】指掛部の構成を示す略線的斜視図である。
【図７】指が掛けられた指掛部の凸部の説明に供する略線的斜視図である。
【図８】持運ハンドルの凹部の利用の説明に供する略線的斜視図である。
【図９】指掛部の凹部への収納ケースの挿入の説明に供する略線的断面図である。
【図１０】他の実施の形態による指掛部の凸部の構成（１）を示す略線的斜視図である。
【図１１】他の実施の形態による指掛部の凸部の構成（２）を示す略線的斜視図である。
【図１２】他の実施の形態による指掛部の凹部の構成を示す略線的斜視図である。
【図１３】他の実施の形態による持運ハンドルの凹部の利用の説明に供する略線的斜視図である。
【図１４】指掛部の凹部へのアダプタの挿入の説明に供する略線的断面図である。
【符号の説明】
【００５５】
１、３０……音楽再生装置、２、３１……筐体、２Ａ……筐体正面、２Ｂ、３１Ｂ……天板、２ＢＸ……天板内面、２ＢＹ……天板外面、２Ｃ……筐体背面、１０、３２……持運ハンドル、１１……差込開口部、１１Ａ……差込ガイド、１１ＡＸ……底板、１１ＡＹ、１１ＡＺ……連結壁、１１Ｂ……開口、１２、２５、２６、３３……指掛部、１２Ａ、３３Ａ……凹部、１２Ｂ、２５Ｂ、２６Ｂ……凸部、１２ＢＡ、２５ＢＡ、２６ＢＡ……滑止部、１２ＢＸ、２５ＢＸ、２６ＢＸ……底面、１２ＢＹ、１２ＢＺ、２５ＢＹ、２５ＢＺ、２６ＢＹ、２６ＢＺ……壁面、２０……収納ケース、３５……携帯型再生端末、３６……アダプタ、ＩＡ……内部空間。
【図１】
2008192241.tif 000003
【図２】
2008192241.tif 000004
【図３】
2008192241.tif 000005
【図４】
2008192241.tif 000006
【図５】
2008192241.tif 000007
【図６】
2008192241.tif 000008
【図７】
2008192241.tif 000009
【図８】
2008192241.tif 000010
【図９】
2008192241.tif 000011
【図１０】
2008192241.tif 000012
【図１１】
2008192241.tif 000013
【図１２】
2008192241.tif 000014
【図１３】
2008192241.tif 000015
【図１４】
2008192241.tif 000016